(57)【要約】      （修正有）【課題】鉄筋とセパレータを容易に連結させ、接合信頼性の高い鉄筋とセパレータの連結金具を提供する。【解決手段】鉄筋２６と、セパレータ２２とを連結させるための連結金具１０であって、鉄筋２６の所定部を把持するための把持体１１と、この両側壁部のそれぞれに設けられる一対の貫通孔と、これに挿通させ一方の貫通孔に挿通孔１９を設けるヘッド部１８を当接させるデンデンボルトと、この先端部に設ける螺子部に螺合させるナット２０を備える。また、一端側で堰板２１を保持し他端側をデンデンボルトの挿通孔１９に挿通させて可動自在にねじ締め部材２５でねじ止めし繋合されるセパレータ２２と、把持体１１に被装される鉄筋２６と、をデンデンボルトとナット２０で締め付けて鉄筋２６が把持体１１に連結されると共に、ねじ締め部材２５で締め付けてセパレータ２２がデンデンボルトに連結される。【選択図】図２
0003168330.tif 000002
【実用新案登録請求の範囲】
【請求項１】
配筋された鉄筋と、型枠の堰板を保持するセパレータとを連結させるための鉄筋とセパレータの連結金具であって、
前記鉄筋の所定部を把持するためのＵ字状の把持体と、該把持体の相対向する両側壁部のそれぞれに互いに対向して設けられる一対の貫通孔と、該貫通孔に挿通させ一方の前記貫通孔に挿通孔を設けるヘッド部を当接させるデンデンボルトと、該デンデンボルトの先端部に設ける螺子部に螺合させるナットを有し、一端側で前記堰板を保持し他端側を前記デンデンボルトの前記挿通孔に挿通させて可動自在にねじ締め部材でねじ止めし前記挿通孔に繋合される前記セパレータと、前記把持体に被装される前記鉄筋と、を前記デンデンボルトと前記ナットで締め付けて前記鉄筋が前記把持体に連結されると共に、前記ねじ締め部材で締め付けて前記セパレータが前記デンデンボルトに連結されることを特徴とする鉄筋とセパレータの連結金具。
【請求項２】
請求項１記載の鉄筋とセパレータの連結金具において、前記デンデンボルトの前記挿通孔の孔径が前記セパレータの直径より大きいと共に、前記ねじ締め部材の外形が前記デンデンボルトの前記挿通孔の孔径より大きく、前記セパレータが前記挿通孔に繋合して連結されることを特徴とする鉄筋とセパレータの連結金具。
【請求項３】
請求項１又は２記載の鉄筋とセパレータの連結金具において、前記デンデンボルトの前記挿通孔の両表面のそれぞれの外周縁部に同じ大きさのＲ、又はＣからなるダレ部を有することを特徴とする鉄筋とセパレータの連結金具。
【考案の詳細な説明】
【技術分野】
【０００１】
本考案は、鉄筋コンクリート造りの構造物を構築する際に、型枠の堰板を保持するためのセパレータと、鉄筋との間を連結するのに用いられる鉄筋とセパレータの連結金具に関する。
【背景技術】
【０００２】
鉄筋コンクリート造りの構造物等の壁や、柱や、基礎等の構築には、通常、鉄筋で配筋した壁筋や、柱筋や、基礎筋等の周囲に堰板で型枠を組み立て、この型枠内にコンクリートを流し込み、乾燥後に型枠を取り外すことで所望する構造物にしている。この型枠の組立には、鉄筋と、型枠の堰板との間にセパレータを介在させることで堰板を位置決めして保持している。また、最近では、海岸に張り巡らせた鉄筋コンクリート造りの構造物である防波堤の補修が必要となり、この場合には、現存する防波堤に鉄筋を打ち込み、この打ち込まれた鉄筋と、新たな防波堤形状となる型枠の堰板との間にセパレータを介在させて堰板を位置決めして保持している。
【０００３】
従来の鉄筋とセパレータの連結には、型枠の堰板から延設するセパレータを鉄筋に直接溶接する方法がとられていた。しかしながら、セパレータを鉄筋に直接溶接するのは、構築物の大きさに応じて多数個のセパレータを溶接するのに溶接機の持ち込みや溶接作業に多くの時間と、労力を要し作業効率が低い上に、鉄筋との溶接部が劣化して強度が低下するという問題点を抱えている。また、セパレータを鉄筋に直接溶接するのは、溶接後のセパレータの方向調整ができなくなるという問題点を抱えている。特に、防波堤の補修の場合には、溶接機の持ち込み設置が難しい上に、作業場所が狭く、危険な環境状態の所であり溶接作業を行うこと自体が難しいと共に、例え、溶接ができたとしても、溶接した部分の接合信頼性が海水の激しい波に耐えることができないという問題点を抱えていた。
【０００４】
そこで、鉄筋とセパレータの連結には、コンクリート型枠用根止め金具という発明の名称のもとに、基部において一体で且つ互いに平行に対面する一対の主体部を形成した略逆Ｕ字状の一体構造を有すると共に、一対の主体部が重なる方向の平面視で主体部の基部から主体部開放方向に向けて基部で連通する略Ｕ字状の切り欠き部が形成されている金具本体と、切り欠き部の底部に固定対象の鉄筋を挿入設置した状態で鉄筋と基部の内面との間に金具本体の一端縁側から挿入、打ち込まれて鉄筋を金具本体に挟持固定する楔部材と、を備えたものであって、金具本体の基部に、他の金属部材の一部を溶接固定するための溶接用片部を、基部における切り欠き部の縁部に残された主体部と一体の金属片部の折り曲げにより形成した鉄筋とセパレータの連結金具が提案されている（例えば、特許文献１参照）。これによれば、鉄筋への装着が容易で簡便な構成でありながらセパレータに限らず他の各種金属部材の取り付けにも対応可能なものが提供できるとしている。
【０００５】
しかしながら、上記のような鉄筋とセパレータの連結金具は、鉄筋と連結金具との取付が楔部材を用いて、溶接でなく鉄筋との連結の接合信頼性を向上させることができるものの、セパレータと連結金具との取付が溶接であるので、溶接機の持ち込みや、多数個のセパレータの溶接作業に多くの時間と、労力を要し作業効率が低い上に、連結金具との溶接部が劣化して強度が低下するという問題点を抱えている。また、セパレータを連結金具に溶接するのは、溶接後のセパレータの方向調整ができなくなるという問題点を抱えている。特に、防波堤の補修の場合には、溶接機の持ち込み設置が難しい上に、作業場所が狭く、危険な環境状態の所であり溶接作業を行うこと自体が難しいと共に、例え、溶接ができたとしても、溶接した部分の接合信頼性が海水の激しい波に耐えることができないという問題点を抱えている。
【０００６】
そこで、鉄筋とセパレータの連結金具には、コンクリート型枠用根止め金具という発明の名称のもとに、基部において一体で且つ互いに平行に対面する一対の主体部を形成した略逆Ｕ字状の一体構造を有し、略Ｕ字状の切り欠き部が形成されている金具本体と、切り欠き部の底部に固定対象の鉄筋を挿入設置した状態で鉄筋と基部の内面との間に金具本体の一端縁側から挿入、打ち込まれて鉄筋を金具本体に挟持固定する楔部材と、一対の主体部間に亘って取り付けられ、セパレータの雄ねじ部をねじ込むためのナット部材とを備え、このナット部材はセパレータのねじ込み入口と反対側の端部が対応する方の主体部の貫通孔から主体部外側へ折り込まれるフランジ部を有し、ナット部に螺合されるセパレータのねじ込みの進行を規制する一つ以上のカシメ部が延設されているものが提案されている（例えば、特許文献２参照）。これによれば、鉄筋とセパレータの連結金具には、溶接の必要がなく、セパレータを簡単に且つ強固に取り付けることのできるものが提供できるとしている。
【０００７】
また、鉄筋とセパレータの連結金具には、セパレータ及びそれを用いた型枠構造という発明の名称のもとに、セパレータ本体と、このセパレータ本体の一端部に形成又は連結されたＬ字状等の延設部と、延設部の端部に形成された螺子部と、略Ｕ字状の被装部と、この被装部の両側壁部に形成された一対の貫挿孔部と、螺子部に螺合される締め付け部材とを備えた構成を有するものが提案されている（例えば、特許文献３参照）。これによれば、このセパレータでは、溶接や、楔部材の必要がなく、簡単且つ速やかに連結作業が行えると共に強固に連結することができ、またセパレータの連結角度を任意に設定し連結後の調整も容易に行うことができる作業性、連結の安定性、及び使用性に優れたセパレータの連結構造の提供、及び簡単且つ速やかに型枠を組み立て強固に固定できる施工性及び安定性に優れた型枠構造の提供ができるとしている。
【先行技術文献】
【特許文献】
【０００８】
【特許文献１】特開２００２−３６４１７１号公報
【特許文献２】特開２００２−３５６９９２号公報
【特許文献３】特開２００６−２５７８６２号公報
【考案の概要】
【考案が解決しようとする課題】
【０００９】
しかしながら、前述したような従来の鉄筋とセパレータの連結金具は、いまだ解決すべき次のような問題がある。
（１）特開２００２−３６４１７１号公報や、特開２００２−３５６９９２号公報で開示されるような鉄筋とセパレータの連結金具は、楔部材を打ち込んで鉄筋と連結金具とを連結させているが、コンクリートを流し込んで緻密に充填させるために用いる振動機等の振動によって、楔部材が緩んだり、外れたりすることがあり、連結の信頼性が低いという問題点を抱えている。
（２）特開２００６−２５７８６２号公報で開示されるような鉄筋とセパレータの連結金具は、連結金具に取り付けられるセパレータの端部がＬ字状に曲がった部分の延設部となっており、型枠の堰板を保持するセパレータのＬ字状の直線部を鉄筋の配筋方向に対して平行する水平位置を３６０°回転自在にして連結金具に取り付けることができるものの、鉄筋と、セパレータのＬ字状の直線部との平行間隔が異なる場合には、セパレータを曲げるようにして取り付けなければならず、捩れ方向の連結ができない場合が発生している。
本考案は、かかる事情に鑑みてなされたものであって、鉄筋とセパレータを容易に連結させ、接合信頼性の高い鉄筋とセパレータの連結金具を提供することを目的とする。
【課題を解決するための手段】
【００１０】
前記目的に沿う本考案に係る鉄筋とセパレータの連結金具は、配筋された鉄筋と、型枠の堰板を保持するセパレータとを連結させるための鉄筋とセパレータの連結金具であって、鉄筋の所定部を把持するためのＵ字状の把持体と、把持体の相対向する両側壁部のそれぞれに互いに対向して設けられる一対の貫通孔と、貫通孔に挿通させ一方の貫通孔に挿通孔を設けるヘッド部を当接させるデンデンボルトと、デンデンボルトの先端部に設ける螺子部に螺合させるナットを有し、一端側で堰板を保持し他端側をデンデンボルトの挿通孔に挿通させて可動自在にねじ締め部材でねじ止めし挿通孔に繋合されるセパレータと、把持体に被装される鉄筋と、をデンデンボルトとナットで締め付けて鉄筋が把持体に連結されると共に、ねじ締め部材で締め付けてセパレータがデンデンボルトに連結される。
【００１１】
ここで、上記の鉄筋とセパレータの連結金具は、デンデンボルトの挿通孔の孔径がセパレータの直径より大きいと共に、ねじ締め部材の外形がデンデンボルトの挿通孔の孔径より大きく、セパレータが挿通孔に繋合して連結されるのがよい。
【００１２】
また、上記の鉄筋とセパレータの連結金具は、デンデンボルトの挿通孔の両表面のそれぞれの外周縁部に同じ大きさのＲ、又はＣからなるダレ部を有するのがよい。
【考案の効果】
【００１３】
上記本考案の鉄筋とセパレータの連結金具は、配筋された鉄筋と、型枠の堰板を保持するセパレータとを連結させるための鉄筋とセパレータの連結金具であって、鉄筋の所定部を把持するためのＵ字状の把持体と、把持体の相対向する両側壁部のそれぞれに互いに対向して設けられる一対の貫通孔と、貫通孔に挿通させ一方の貫通孔に挿通孔を設けるヘッド部を当接させるデンデンボルトと、デンデンボルトの先端部に設ける螺子部に螺合させるナットを有し、一端側で堰板を保持し他端側をデンデンボルトの挿通孔に挿通させて可動自在にねじ締め部材でねじ止めし挿通孔に繋合されるセパレータと、把持体に被装される鉄筋と、をデンデンボルトとナットで締め付けて鉄筋が把持体に連結されると共に、ねじ締め部材で締め付けてセパレータがデンデンボルトに連結されるので、鉄筋が連結金具の把持体にデンデンボルトとナットで締め付けて取り付けられると共に、セパレータが連結金具のデンデンボルトに締め付け部材で締め付けて取り付けられて強固に連結でき、間にコンクリートを流し込んで緻密に充填させるために用いる振動機等の振動があったとしても、楔部材を用いた場合のような楔部材が緩んだり、外れて型枠の堰板を押し広げたりするようなことがなく充填できる連結の信頼性を向上させて、所望の鉄筋コンクリート造りの構造物を形成することができる。また、型枠の堰板に取り付けられたセパレータは、デンデンボルトの挿通孔に容易に可動自在に繋合させて連結でき、異なった方向の捩れ方向に延設する鉄筋と、セパレータをねじ締めして強固に連結させることができる。
【００１４】
特に、上記の鉄筋とセパレータの連結金具は、デンデンボルトの挿通孔の孔径がセパレータの直径より大きいと共に、ねじ締め部材の外形がデンデンボルトの挿通孔の孔径より大きく、セパレータが挿通孔に繋合して連結されるので、セパレータがデンデンボルトの挿通孔に嵌合したり、入らなかったりするのを防止したり、ねじ締め部材がデンデンボルトの挿通孔を潜り抜けてセパレータがデンデンボルトの挿通孔から抜け落ちたりするのを防止して、デンデンボルトの挿通孔に容易に可動自在に繋合させて連結でき、異なった方向の捩れ方向に延設する鉄筋と、セパレータをねじ締めして強固に連結させることができる。
【００１５】
また、特に、上記の鉄筋とセパレータの連結金具は、デンデンボルトの挿通孔の両表面のそれぞれの外周縁部に同じ大きさのＲ、又はＣからなるダレ部を有するので、セパレータをデンデンボルトの挿通孔に何れの方向から挿通させても可動の範囲を大きくして自在に繋合させて連結でき、異なった方向の捩れ方向に延設する鉄筋と、セパレータをねじ締めして強固に連結させることができる。
【図面の簡単な説明】
【００１６】
【図１】（Ａ）〜（Ｃ）はそれぞれ本考案の一実施の形態に係る鉄筋とセパレータの連結金具の平面図、Ａ−Ａ’線縦断面図、Ｂ−Ｂ’線縦断面図である。
【図２】（Ａ）、（Ｂ）はそれぞれ同鉄筋とセパレータの連結金具に鉄筋とセパレータを連結させるときの説明図である。
【考案を実施するための形態】
【００１７】
本考案の一実施の形態に係る鉄筋とセパレータの連結金具は、例えば、鉄筋コンクリート造りの構造物等の壁や、柱や、基礎等の構築のために、配筋された鉄筋と、型枠の堰板を保持するセパレータとの間に介在させ、鉄筋と堰板間を位置決め保持し、型枠内にコンクリートを流し込み、乾燥後に型枠を取り外すことで所望する構造物にするのに用いられている。また、本考案の一実施の形態に係る鉄筋とセパレータの連結金具は、例えば、海岸に張り巡らせたコンクリート造りの構造物である防波堤の補修のために、現存する防波堤に鉄筋を打ち込み、この打ち込まれて配筋された鉄筋と、新たな防波堤形状となる型枠の堰板を保持するセパレータとの間に介在させ、鉄筋と堰板間を位置決め保持し、型枠内にコンクリートを流し込み、乾燥後に型枠を取り外すことで補強用の防波堤にするのに用いられている。
【００１８】
続いて、図１（Ａ）〜（Ｃ）を参照しながら、本考案の一実施の形態に係る鉄筋とセパレータの連結金具を説明する。ここで、図１（Ａ）は、鉄筋とセパレータの連結金具の平面図である。図１（Ｂ）は、図１（Ａ）における、鉄筋とセパレータの連結金具の把持体のＡ−Ａ’線縦断面図である。図１（Ｃ）は、図１（Ａ）における、鉄筋とセパレータの連結金具のデンデンボルトのＢ−Ｂ’線縦断面図である。
【００１９】
図１（Ａ）〜（Ｃ）に示すように、本考案の一実施の形態に係る鉄筋とセパレータの連結金具１０は、配筋された鉄筋２６（図２参照）の所定部を把持するための断面視して略Ｕ字状の把持体１１を有している。また、鉄筋とセパレータの連結金具１０は、把持体１１の相対向する両側壁部１２のそれぞれに互いに対向して設けられる一対の貫通孔１３を有している。この把持体１１は、例えば、金属製の帯状部材に孔開け加工で一対として対向するそれぞれの所定の位置に貫通孔１３を形成した後、絞り曲げ加工等で帯状部材の長手方向の両端部を内側に折り曲げるようにして折り曲げ部１４を形成しながら帯状部材の長手方向を丸めるようにしてわん曲部１５を形成することで略Ｕ字状に成型している。
【００２０】
なお、把持体１１の折り曲げ部１４や、わん曲部１５の形状、大きさは、特に限定するものではないが、鉄筋２６が折り曲げ部１４の端部に当接する程度の半径形状からなるのが好ましい。この把持体１１の折り曲げ部１４は、鉄筋２６を把持体１１の中に装着させ、後述するデンデンボルト１６で把持体１１を締め付けたときに、この折り曲げ部１４の端部で鉄筋２６にくい込んで強力に把持し、鉄筋２６が把持体１１の中で滑って空回りしたり、把持体１１から抜け落ちないようにするために設けられている。また、貫通孔１３の大きさは、特に限定するものではないが、後述するデンデンボルト１６の先端部１７を挿通できて、デンデンボルト１６のヘッド部１８が挿通できない程度の大きさが必要である。
【００２１】
また、上記の鉄筋とセパレータの連結金具１０は、把持体１１の側壁部１２に設ける一方の貫通孔１３から他方の貫通孔１３ａに、先端部１７から挿通させて入口側である一方の貫通孔１３に、挿通孔１９を設けるヘッド部１８を当接させるデンデンボルト１６を有している。更に、この鉄筋とセパレータの連結金具１０は、デンデンボルト１６の先端部１７に設ける螺子部１９に螺合させるナット２０を有している。上記のデンデンボルト１６は、特に、形状や、長さを限定するものではなく、一般に市販されているものを用いることができる。また、ナット２０は、デンデンボルト１６の先端部１７に設ける螺子部１９に螺合させて強固にねじ締めできるものであれば、特に、形状や、長さを限定するものではないが、鉄筋２６が把持体１１の中で強力に締め付けられるようにするために、ある程度長いものが好ましい。
【００２２】
次いで、図２（Ａ）、（Ｂ）を参照しながら鉄筋とセパレータの連結金具に鉄筋とセパレータを連結させるときの説明をする。ここで、図２（Ａ）は、セパレータを直線的に使用した場合の説明図であり、図２（Ｂ）は、セパレータを折り曲げて使用した場合の説明図である。
図２（Ａ）、（Ｂ）に示すように、上記の鉄筋とセパレータの連結金具１０には、一端側でコンクリートを流し込んだときの型枠となる堰板２１を保持し、他端側をデンデンボルト１６の挿通孔１９に繋合されるセパレータ２２が連結されるようになっている。このセパレータ２２は、一端側で型枠となる堰板２１を保持するために、一端側に設ける螺子部に螺着又は装着固定された略円錐台状のコーン２３の端面に突設された型枠締め付け用螺子部を堰板２１に設ける取り付け孔から露出させて、型枠締め付け用螺子部を型枠締め付け具２４で締め付けて、コーン２３と、型枠締め付け具２４で堰板２１を挟持して保持するようになっている。なお、堰板２１を挟持するコーン２３と、型枠締め付け具２４は、流し込まれるコンクリートが堰板２１に設ける取り付け孔から流れ出るのを防止するために堰板２１に対して密着させるようにして取り付けるようになっている。また、特に、図２（Ｂ）に示すように、セパレータ２２は、デンデンボルト１６の挿通孔１９と、堰板２１に設ける取り付け孔との位置関係が大きくずれる場合には、堰板２１に対して垂直に立設する部分を残して途中で折り曲げるようにして用いている。
【００２３】
また、上記のセパレータ２２は、デンデンボルト１６の挿通孔１９に繋合させるために、他端側に設ける螺子部を挿通孔１９に挿通させて、挿通孔１９内で可動自在にしてねじ締め部材２５でセパレータ２２自体が抜け落ちないようにしてねじ止めして繋合するようになっている。一方、上記の鉄筋とセパレータの連結金具１０には、把持体１１に被装される鉄筋２６が連結されるようになっている。そして、この鉄筋とセパレータの連結金具１０は、把持体１１をデンデンボルト１６と、ナット２０で締め付けて鉄筋２６が把持体１１に連結されると共に、セパレータ２２をねじ締め部材２５で締め付けてセパレータ２２がデンデンボルト１６に連結されるようにしている。これにより、鉄筋とセパレータの連結金具１０は、鉄筋２６を連結させるのに楔部材を打ち込んだ場合のような振動機等の振動による楔部材の緩みや、外れによる連結の信頼性が低下を防止して、連結の信頼性を向上させることができる。また、この鉄筋とセパレータの連結金具１０は、鉄筋２６の配筋方向に対して平行する水平位置を３６０°回転自在にして取り付けることができると共に、鉄筋２６と、セパレータ２２の平行間隔が異なるようになっても極端にセパレータ２２を曲げることなく取り付けることができ、捩れ方向の連結を強固に行うことができる。
【００２４】
上記のデンデンボルト１６及び堰板２１へのセパレータ２２の取付には、先にデンデンボルト１６の挿通孔１９に繋合させた後、堰板２１に取り付け孔を設けて固定する場合と、先に堰板２１に設ける取り付け孔に繋合させた後、デンデンボルト１６の挿通孔１９に繋合させる場合とがある。先にデンデンボルト１６の挿通孔１９に繋合させた後、堰板２１に取り付け孔を設けて固定する場合には、デンデンボルト１６の挿通孔１９にセパレータ２２を挿通させて２個のねじ締め部材２５でデンデンボルト１６を挟むようにして繋合させてセパレータ２２を固定させた後に堰板２１に取り付けている。反対に、先に堰板２１に設ける取り付け孔に繋合させた後、デンデンボルト１６の挿通孔１９に繋合させる場合には、堰板２１に固定させたセパレータ２２をデンデンボルト１６の挿通孔１９に挿通させて１個のねじ締め部材２５で締め付けて取り付けている。
【００２５】
上記の鉄筋とセパレータの連結金具１０は、デンデンボルト１６の挿通孔１９の孔径がセパレータ２２の直径より大きいと共に、ねじ締め部材２５の外形がデンデンボルト１６の挿通孔１９の孔径より大きいのがよい。これにより、鉄筋とセパレータの連結金具１０は、セパレータ２２をデンデンボルト１６の挿通孔１９から抜け落とすことなく確実に繋合して連結させることができる。
【００２６】
また、上記の鉄筋とセパレータの連結金具１０は、デンデンボルト１６の挿通孔１９の両表面のそれぞれの外周縁部に同じ大きさのＲ（アール）即ち、かどに丸みをつける、又はＣ（シー）即ち、縁どり、かど落としからなるダレ部を有するのがよい。特に、Ｒ、又はＣは、ヘッド部１８の厚みの中間で互いが交わる程度の大きさであるのが好ましい。このＲ、又はＣによって、鉄筋とセパレータの連結金具１０は、セパレータ２２の取り付け方向が捩れた場合の自由度を大きく広げることができる。
【産業上の利用可能性】
【００２７】
本考案の鉄筋とセパレータの連結金具は、鉄筋コンクリート造りの壁や、柱や、基礎等の構造物を構築するために用いることができる。また、本考案の鉄筋とセパレータの連結金具は、現存する防波堤の表面に、新たな防波堤となる構造物を構築するために用いることができる。
【符号の説明】
【００２８】
１０：鉄筋とセパレータの連結金、１１：把持体、１２：側壁部、１３、１３ａ：貫通孔、１４：折り曲げ部、１５：わん曲部、１６：デンデンボルト、１７：先端部、１８：ヘッド部、１９：挿通孔、２０：ナット、２１：堰板、２２：セパレータ、２３：コーン、２４：型枠締め付け具、２５：ねじ締め部材、２６：鉄筋
【図１】
0003168330.tif 000003
【図２】
0003168330.tif 000004